(57)【特許請求の範囲】
【請求項１】
前後一対のビーム材間に、当該ビーム材の長さ方向適当間隔おきにサブビーム材を架設して成る棚用フレームを備えたラックにおいて、前記ビーム材は、上下一対の外側水平板部間に配置された中間水平板部と、この中間水平板部の内側辺から直角下向きに連なる垂直板部とを有し、前記サブビーム材の長さ方向両端には、前記ビーム材の上側の外側水平板部と中間水平板部との間に挿入可能な突出部が設けられ、この突出部には、垂直側板部と当該垂直側板部の下側辺から折曲連設された水平張出板部とから成り且つ当該水平張出板部の内側辺に凹入部が形成されたＬ形先端部が設けられ、前記ビーム材には、前記中間水平板部と垂直板部とにわたって、前記サブビーム材の突出部のＬ形先端部が下向きに嵌合可能な切欠き部が設けられ、この切欠き部には、前記凹入部に嵌合してサブビーム材の長さ方向の遊動を制限する突出板部が形成されている、ラック。
【請求項２】
前記サブビーム材の突出部は左右一対設けられ、両突出部のＬ形先端部は、その水平張出板部が互いに接近する内向きに設けられて左右対称形に構成され、前記ビーム材の切欠き部は、前記左右一対のＬ形先端部が同時に嵌合出来るように左右一対、左右対称形に設けられている、請求項１に記載のラック。
【請求項３】
前記サブビーム材は、水平天板部とこの水平天板部の左右両側辺から下向きに折曲連設された左右両垂直側板部、及びこの左右両垂直側板部の下側辺から内向きに折曲連設された水平張出板部から構成され、前記左右一対の突出部は、前記左右両垂直側板部と水平張出板部をこのサブビーム材の長さ方向に延出させて構成されている、請求項２に記載のラック。
【請求項４】
前記ビーム材は、上下一対の外側水平板部と、この上下一対の外側水平板部間に配置され且つ凹溝部が外向きに開放された溝形板部と、前記上下一対の外側水平板部の外側辺と前記溝形板部の上下両水平板部の外側辺とをつなぐ上下一対の傾斜板部とから構成され、前記中間水平板部は、前記溝形板部の上側の水平板部であり、前記垂直板部は、前記溝形板部の上下両水平板部の内側辺をつなぐ垂直板部である、請求項１〜３の何れか１項に記載のラック。
【請求項５】
前記ビーム材には、その上下一対の外側水平板部の内、少なくとも上側の外側水平板部の内側辺から内向きに折曲連設された垂直張出板部が形成され、このビーム材の前記切欠き部に支持されているサブビーム材が上向きに移動して当該切欠き部から前記突出部のＬ形先端部が上方に離脱したとき、当該突出部の付け根部が前記垂直張出板部に当接するように構成されている、請求項１〜４の何れか１項に記載のラック。
【発明の詳細な説明】
【技術分野】
【０００１】
本発明は、前後一対のビーム材間に、当該ビーム材の長さ方向適当間隔おきにサブビーム材を架設して成る棚用フレームを備えたラックに関するものである。
【背景技術】
【０００２】
ラックの棚用フレームとして、特許文献１に記載されるように、前後一対のビーム材間に、当該ビーム材の長さ方向適当間隔おきにサブビーム材を架設して成るものが知られている。而して、この特許文献１に示される従来のラックの棚用フレームは、サブビーム材の長さ方向の両端に形成された突出部を、ビーム材の上側の外側水平板部と中間水平板部との間に挿入した状態で、当該サブビーム材を下げることにより、このサブビーム材の突出部の先端から下向きに折曲連設した係止片を、ビーム材の前記中間水平板部に設けた係止孔に嵌合させることにより、ビーム材に対してサブビーム材を位置決めする構成であった。
【先行技術文献】
【特許文献】
【０００３】
【特許文献１】特開平１１−２９０１４０号公報
【発明の概要】
【発明が解決しようとする課題】
【０００４】
上記構成のラックの棚用フレームでは、サブビーム材の下側面から下向きに係止片が突出しているので、ビーム材間に組み付けられる前のサブビーム材の取り扱いに際して、前記係止片が他物と接触して変形したり、前記係止片が作業者や他物と摺接して作業者の肌や他物の表面に傷を付けてしまう恐れがあった。又、サブビーム材の両端突出部がビーム材の中間水平板部上に載置された状態で、前記係止片とビーム材側の係止孔との嵌合によりサブビーム材が位置決めされているだけであって、両端突出部がビーム材に支持されたサブビーム材の中間部分に下向きの荷重が作用したとき、当該サブビーム材の両端突出部の断面形状の広がりを抑制する機能をビーム材側に期待することが出来ないので、サブビーム材の耐荷重性能を高めるには、当該サブビーム材の板厚を厚くする、或いは板厚の厚い別部材で構成した突出部形成部材をサブビーム材の両端に溶接する、などの対策が必要になり、棚用フレーム全体、延いてはラック全体のコストアップにつながることになっていた。
【課題を解決するための手段】
【０００５】
本発明は、上記のような従来の問題点を解消することのできるラックを提案するものであって、請求項１に記載の本発明に係るラックの棚用フレームは、後述する実施例との関係を理解し易くするために、当該実施例の説明において使用した参照符号を括弧付きで付して示すと、前後一対のビーム材(2a,2b)間に、当該ビーム材(2a,2b)の長さ方向適当間隔おきにサブビーム材(3)を架設して成る棚用フレーム(1)を備えたラックにおいて、前記ビーム材(2a,2b)は、上下一対の外側水平板部(7a,7b)間に配置された中間水平板部（溝形板部(8)の上側水平板部(9a)）と、この中間水平板部(9a)の内側辺から直角下向きに連なる垂直板部(11)とを有し、前記サブビーム材(3)の長さ方向両端には、前記ビーム材(2a,2b)の上側の外側水平板部(7a)と中間水平板部(9a)との間に挿入可能な突出部(16a)が設けられ、この突出部(16a)には、垂直側板部(14a)と当該垂直側板部(14a)の下側辺から折曲連設された水平張出板部（15a）とから成り且つ当該水平張出板部(15a)の内側辺に凹入部(18a)が形成されたＬ形先端部(17a)が設けられ、前記ビーム材(2a,2b)には、前記中間水平板部(9a)と垂直板部(11)とにわたって、前記サブビーム材(3)の突出部(16a)のＬ形先端部(17a)が下向きに嵌合可能な切欠き部(20a)が設けられ、この切欠き部(20a)には、前記凹入部(18a)に嵌合してサブビーム材(3)の長さ方向の遊動を制限する突出板部(21)が形成された構成になっている。
【０００６】
上記本発明を実施する場合、具体的には請求項２に記載のように、前記サブビーム材(3)の突出部(16a,16b)は左右一対設け、両突出部(16a,16b)のＬ形先端部(17a,17b)は、その水平張出板部(15a,15b)を互いに接近する内向きに設けて左右対称形に構成し、前記ビーム材(2a,2b)の切欠き部(20a,20b)は、前記左右一対のＬ形先端部(17a,17b)が同時に嵌合出来るように左右一対、左右対称形に設けることが出来る。この場合、請求項３に記載のように、前記サブビーム材(3)は、水平天板部(13)とこの水平天板部(13)の左右両側辺から下向きに折曲連設された左右両垂直側板部(14a,14b)、及びこの左右両垂直側板部(14a,14b)の下側辺から内向きに折曲連設された水平張出板部(15a,15b)から構成し、前記左右一対の突出部(16a,16b)は、前記左右両垂直側板部(14a,14b)と水平張出板部(15a,15b)をこのサブビーム材(3)の長さ方向に延出させて構成することが出来る。
【０００７】
又、請求項４に記載のように、前記ビーム材(2a,2b)は、上下一対の外側水平板部(7a,7b)と、この上下一対の外側水平板部(7a,7b)間に配置され且つ凹溝部が外向きに開放された溝形板部(8)と、前記上下一対の外側水平板部(7a,7b)の外側辺と前記溝形板部(8)の上下両水平板部(9a,9b)の外側辺とをつなぐ上下一対の傾斜板部(10a,10b)とから構成し、前記中間水平板部は、前記溝形板部(8)の上側の水平板部(9a)とし、前記垂直板部は、前記溝形板部(8)の上下両水平板部(9a,9b)の内側辺をつなぐ垂直板部(11)とすることが出来る。
【０００８】
更に、請求項５に記載のように、前記ビーム材(2a,2b)には、その上下一対の外側水平板部(7a,7b)の内、少なくとも上側の外側水平板部(7a)の内側辺から内向きに折曲連設された垂直張出板部(12a)を形成し、このビーム材(2a,2b)の前記切欠き部(20a)に支持されているサブビーム材(3)が上方に移動して当該切欠き部(20a)から前記突出部(16a)のＬ形先端部(17a)が上方に離脱したとき、当該突出部(16a)の付け根部が前記垂直張出板部(12a)に当接するように構成することが出来る。
【発明の効果】
【０００９】
請求項１に記載の本発明の構成によれば、サブビーム材を前後一対のビーム材間に架設する場合、従来周知のようにサブビーム材を水平に回転させることにより、サブビーム材の両端の突出部を、ビーム材の上側の外側水平板部と中間水平板部との間に挿入し、当該突出部のＬ形先端部を、ビーム材側の前記中間水平板部と垂直板部とにわたって形成されている切欠き部の真上に位置させた状態で、サブビーム材を下げることにより、このサブビーム材の両端突出部のＬ形先端部をビーム材側の前記切欠き部に嵌合させる。この結果、ビーム材側の前記切欠き部の突出板部が、サブビーム材の前記突出部におけるＬ形先端部の水平張出板部の凹入部内に嵌合した状態で、当該サブビーム材が、その突出部におけるＬ形先端部の水平張出板部を介して、ビーム材側の切欠き部の下側辺で支持されることになる。
【００１０】
上記のようにサブビーム材を水平に回転させた後に下げるだけの簡単な操作により、当該サブビーム材の両端突出部を前後一対のビーム材間に架設することが出来るのであるが、このサブビーム材の架設状態において、ビーム材側の切欠き部が有する突出板部がサブビーム材側の突出部のＬ形先端部における水平張出板部の凹入部内に嵌合しているので、当該サブビーム材の長さ方向の遊動は、前記凹入部内での前記突出板部の遊動範囲に制限される。しかも、サブビーム材の長さ方向の遊動を制限するためのサブビーム材側の部分は、当該サブビーム材の両端突出部におけるＬ形先端部の水平張出板部に形成された凹入部であって、従来のように当該サブビーム材から下向きに突出する突出片ではないので、ビーム材の両端突出部の底面全体をフラットに形成することが出来、ビーム材間に組み付けられる前のサブビーム材の取り扱いに際して、サブビーム材の長さ方向の遊動を制限する部分（水平張出板部に形成された凹入部）が他物と接触して変形したり、当該部分が作業者や他物と摺接して作業者の肌や他物の表面に傷を付けてしまう恐れがない。
【００１１】
更に、サブビーム材の両端突出部は、そのＬ形先端部においてビーム材側の切欠き部内に嵌合した状態で、当該ビーム材側の切欠き部で支持されるので、請求項２及び３に記載のように構成することにより、サブビーム材の両端突出部が左右に広がるように変形するのをビーム材側の左右一対の切欠き部で抑制することが出来る。従って、両端が前後一対のビーム材で支持されたサブビーム材の長さ方向の中間部に下向きの大きな荷重が作用したとき、サブビーム材の両端突出部が左右に広がるように変形することがなくなり、サブビーム材の耐荷重性能が高められる。換言すれば、サブビーム材の耐荷重性能を高めるために、サブビーム材の板厚を厚くする、或いは板厚の厚い別部材で構成した突出部形成部材をサブビーム材の両端に溶接する、などの対策が不要になり、棚用フレーム全体のコストダウンを図ることが出来る。
【００１２】
尚、請求項２に記載の構成によれば、サブビーム材を安定的に支持することが出来、更に請求項３に記載の構成によれば、前記Ｌ形先端部をそれぞれ備えた左右一対の両端突出部を含めてサブビーム材全体をシンプルに構成することが出来、しかもサブビーム材自体の曲げ強度も高めることが出来る。
【００１３】
又、請求項４に記載の構成によれば、ビーム材を上下対称形状に構成出来るので、このビーム材自体の製造後の取り扱いに便利であり、しかもビーム材自体の曲げ強度も高めることが出来る。更に、請求項５に記載の構成によれば、ビーム材自体の曲げ強度をより一層高めることが出来ると共に、サブビーム材の両端突出部とビーム材側の係合部分をビーム材で完全に覆って保護することが出来、しかもサブビーム材に上向きの不当な外力が作用したときに、サブビーム材の両端突出部がビーム材から上方に離れてサブビーム材が不測に脱落してしまうのを未然に防止出来る。
【図面の簡単な説明】
【００１４】
【図１】図１は、棚用フレームの使用状態を示す概略斜視図である。
【図２】図２は、中間を省略した棚用フレームの縦断側面図である。
【図３】図３は、ビーム材の要部を示す斜視図である。
【図４】図４は、ビーム材の要部を示す一部横断平面図である。
【図５】図５は、サブビーム材の一端の突出部を示す一部切欠き斜視図である。
【図６】図６は、ビーム材杆へのサブビーム材の架設手順の第一段階を説明する要部の横断平面図である。
【図７】図７は、同上架設手順の第二段階を説明する要部の縦断側面図である。
【図８】図８は、図７の一部横断平面図である。
【図９】図９Ａは、サブビーム材の架設が完了した状態での要部の縦断側面図、図９Ｂは、図９ＡのＸ−Ｘ線断面図である。
【発明を実施するための形態】
【００１５】
図１において、１は棚用フレームであって、間口方向と平行な前後一対のビーム材２ａ，２ｂと、このビーム材２ａ，２ｂ間で当該ビーム材２ａ，２ｂの長さ方向適当間隔おきに奥行き方向と平行に架設された複数本のサブビーム材３とで構成されている。この棚用フレーム１は、前後一対の支柱部材４ａ，４ｂと両支柱部材４ａ，４ｂ間に配設された連結部材５によって構成された左右一対の棚支持フレーム６ａ，６ｂ間に、その前後一対のビーム材２ａ，２ｂの両端が各支柱部材４ａ，４ｂに係止される状態で水平に支持される。図では、左右一対の棚支持フレーム６ａ，６ｂ間に上下複数段に架設される棚用フレーム１の１つを例示している。
【００１６】
以下、上記のように使用される棚用フレーム１に適用した本発明の構成を具体的に説明すると、図２〜図６に示すように、ビーム材２ａ，２ｂは、上下一対の外側水平板部７ａ，７ｂと、この上下一対の外側水平板部７ａ，７ｂ間に配置され且つ凹溝部が外向きに開放された溝形板部８と、前記上下一対の外側水平板部７ａ，７ｂの外側辺と前記溝形板部８の上下両水平板部９ａ，９ｂの外側辺とをつなぐ上下一対の傾斜板部１０ａ，１０ｂとから成る上下対称形の型材で構成されている。尚、溝形板部８の上下両水平板部９ａ，９ｂの内側辺どうしを連結する垂直板部１１は、上下一対の外側水平板部７ａ，７ｂで囲まれた縦長矩形の空間の巾方向のほぼ中央に配置され、上下一対の外側水平板部７ａ，７ｂの内側辺には、直角内向きに垂直張出板部１２ａ，１２ｂが折曲連設されている。
【００１７】
サブビーム材３は、水平天板部１３とこの水平天板部１３の左右両側辺から下向きに折曲連設された左右両垂直側板部１４ａ，１４ｂ、及びこの左右両垂直側板部１４ａ，１４ｂの下側辺から内向きに折曲連設された水平張出板部１５ａ，１５ｂを有する左右対称形の型材から構成され、長さ方向の両端には、左右一対の突出部１６ａ，１６ｂを備えている。これら左右一対の突出部１６ａ，１６ｂは、前記左右両垂直側板部１４ａ，１４ｂの下半部と水平張出板部１５ａ，１５ｂをこのサブビーム材３の長さ方向に延出させて構成したもので、それぞれの上側辺は、先端側ほど下がるように傾斜させている。そして両突出部１６ａ，１６ｂの、左右両垂直側板部１４ａ，１４ｂと水平張出板部１５ａ，１５ｂとで形成されたＬ形先端部１７ａ，１７ｂには、その水平張出板部１５ａ，１５ｂの内側辺に矩形状の凹入部１８ａ，１８ｂが形成されている。
【００１８】
上記構成のサブビーム材３の突出部１６ａ，１６ｂを除く本体部分の長さ、即ち、水平天板部１３の長さは、図２に示すように前後一対のビーム材２ａ，２ｂ間の間隔（垂直張出板部１２ａ／１２ｂ間の間隔）より少し短い長さであり、その両端の突出部１６ａ，１６ｂは、ビーム材２ａ，２ｂの上側の垂直張出板部１２ａの下側から溝形板部８の上側の水平板部９ａの上側にＬ形先端部１７ａ，１７ｂを挿入できる長さと高さを有するものである。一方、ビーム材２ａ，２ｂには、サブビーム材支持部１９が当該ビーム材長さ方向等間隔Ｄおきに設けられている。このサブビーム材支持部１９は、溝形板部８の上側の水平板部９ａから垂直板部１１にわたってＬ形に形成された左右一対の切欠き部２０ａ，２０ｂによって構成されている。この左右一対の切欠き部２０ａ，２０ｂは、サブビーム材３の左右一対の突出部１６ａ，１６ｂにおけるＬ形先端部１７ａ，１７ｂが下向きに嵌合出来る間隔で形成されたものであり、溝形板部８の垂直板部１１には、前記切欠き部２０ａ，２０ｂの垂直部の互いに隣り合う内側辺から切欠き部２０ａ，２０ｂ内に突出する突出板部２１が形成されている。
【００１９】
上記構成において、前後一対のビーム材２ａ，２ｂ間にサブビーム材３を架設する手順について説明すると、図６に示すようにサブビーム材３をビーム材２ａ，２ｂに対して斜めの姿勢でビーム材２ａ，２ｂ間に下した後、サブビーム材３を、ビーム材２ａ，２ｂに対して直角向きの姿勢まで水平に回転させ、図７及び図８に示すように、その両端の突出部１６ａ，１６ｂをビーム材２ａ，２ｂの上側の垂直張出板部１２ａと溝形板部８の上側の水平板部９ａとの間に挿入させる。このとき、図示のように、当該サブビーム材３の両端の突出部１６ａ，１６ｂにおけるＬ形先端部１７ａ，１７ｂがビーム材２ａ，２ｂ側の選択された１つのサブビーム材支持部１９における左右一対の切欠き部２０ａ，２０ｂの水平部の真上に位置することになる。係る状態では、サブビーム材３の突出部１６ａ，１６ｂを除く本体部分の両端部３ａ，３ｂ（水平天板部１３の両端と左右両垂直側板部１４ａ，１４ｂの突出部１６ａ，１６ｂに連なる両端垂直縁部）がビーム材２ａ，２ｂの垂直張出板部１２ａに当接するまでの範囲内で、サブビーム材３はその長さ方向に移動できるが、この移動範囲の中央位置にサブビーム材３が位置しているとき、平面視において、ビーム材２ａ，２ｂの溝形板部８の垂直板部１１（突出板部２１）が両突出部１６ａ，１６ｂにおけるＬ形先端部１７ａ，１７ｂの凹入部１８ａ，１８ｂの巾（ビーム材２ａ，２ｂの長さ方向の巾）の中央位置に位置するように構成されている。
【００２０】
上記のようにサブビーム材３を位置させたならば、そのままサブビーム材３を下げて、両端の突出部１６ａ，１６ｂにおけるＬ形先端部１７ａ，１７ｂをビーム材２ａ，２ｂの左右一対の切欠き部２０ａ，２０ｂ内に落とし込む。この結果、図９に示すように、サブビーム材３は、両端の左右一対の突出部１６ａ，１６ｂにおけるＬ形先端部１７ａ，１７ｂの水平張出板部１５ａ，１５ｂにおいて、ビーム材２ａ，２ｂの左右一対の切欠き部２０ａ，２０ｂの垂直部の下側辺で支持されると共に、Ｌ形先端部１７ａ，１７ｂが備える凹入部１８ａ，１８ｂ内に切欠き部２０ａ，２０ｂの垂直部の突出板部２１が嵌合している。従って、前後一対のビーム材２ａ，２ｂ間で水平に支持されたサブビーム材３をその長さ方向前後に移動させたとき、サブビーム材３側の前記凹入部１８ａ，１８ｂの一側辺とビーム材２ａ，２ｂ側の前記突出板部２１とが当接するか又は、当該凹入部１８ａ，１８ｂの巾が広いときは、前記凹入部１８ａ，１８ｂの一側辺とビーム材２ａ，２ｂ側の前記突出板部２１とが当接する前に、サブビーム材３の前記本体部分の両端部３ａ，３ｂの一方がビーム材２ａ又は２ｂの垂直張出板部１２ａに当接することになる。しかし、図示のように、サブビーム材３の前記本体部分の両端部３ａ，３ｂの一方がビーム材２ａ又は２ｂの垂直張出板部１２ａに当接する以前に、前記凹入部１８ａ，１８ｂの一側辺とビーム材２ａ，２ｂ側の前記突出板部２１とが当接してサブビーム材３の長さ方向の移動が制限されるように、前記凹入部１８ａ，１８ｂの巾を設定しておくのが望ましい。
【００２１】
以上にようにして前後一対のビーム材２ａ，２ｂ間に水平に架設されたサブビーム材３は、その突出部１６ａ，１６ｂの付け根部がビーム材２ａ，２ｂの垂直張出板部１２ａに当接する高さまで平行に持上げた後に水平に回転させて、その両端の突出部１６ａ，１６ｂをビーム材２ａ，２ｂから内側へ離脱させない限り、ビーム材２ａ，２ｂから取り外すことが出来ない。換言すれば、前後一対のビーム材２ａ，２ｂ間に水平に架設されたサブビーム材３は、ビーム材２ａ，２ｂ側の切欠き部２０ａ，２０ｂとサブビーム材３側の突出部１６ａ，１６ｂにおけるＬ形先端部１７ａ，１７ｂとの嵌合により、ビーム材２ａ，２ｂに対して直角向きで定位置に保持されている。又、サブビーム材３側の前記凹入部１８ａ，１８ｂの巾を上記のように設定して構成するときは、サブビーム材３にその長さ方向の外力が作用しても、当該サブビーム材３の前記本体部分の両端部３ａ，３ｂの一方がビーム材２ａ又は２ｂの垂直張出板部１２ａに当接することを避けられ、この当接に起因する塗装やメッキの剥げ落ちが防止出来る。
【００２２】
尚、上記のように前後一対のビーム材２ａ，２ｂ間に水平に架設されたサブビーム材３の上に直接荷を載置するときは、当該サブビーム材３の上面、即ち、水平天板部１３の上面は、ビーム材２ａ，２ｂの上面、即ち、上側の外側水平板部７ａの上面とほぼ面一か又は若干低くなるように、サブビーム材３の高さを設定して構成することになるが、前後一対のビーム材２ａ，２ｂ間でサブビーム材３上に荷を支持する棚板材を載置するときは、サブビーム材３の上面がビーム材２ａ，２ｂの上面より棚板材の厚さ分だけ低くなるように構成することが出来る。
【産業上の利用可能性】
【００２３】
本発明のラックの棚用フレームは、型材を利用して構成される組み立て式の各種ラックに活用出来るものである。
【符号の説明】
【００２４】
１    棚用フレーム
２ａ，２ｂ    ビーム材
３    サブビーム材
３ａ，３ｂ    サブビーム材本体部分の両端部
７ａ，７ｂ    ビーム材の外側水平板部
８    ビーム材の溝形板部
９ａ，９ｂ    溝形板部の上下両水平板部
１０ａ，１０ｂ    ビーム材の傾斜板部
１１    溝形板部の垂直板部
１２ａ，１２ｂ    ビーム材の垂直張出板部１２ａ，１２ｂ
１３    サブビーム材の水平天板部
１４ａ，１４ｂ    サブビーム材の左右両垂直側板部
１５ａ，１５ｂ    サブビーム材の水平張出板部
１６ａ，１６ｂ    サブビーム材両端の突出部
１７ａ，１７ｂ    突出部のＬ形先端部
１８ａ，１８ｂ    Ｌ形先端部の凹入部
１９    サブビーム材支持部
２０ａ，２０ｂ    切欠き部
２１    突出板部
【図１】
0005590469.tif 000002
【図２】
0005590469.tif 000003
【図３】
0005590469.tif 000004
【図４】
0005590469.tif 000005
【図５】
0005590469.tif 000006
【図６】
0005590469.tif 000007
【図７】
0005590469.tif 000008
【図８】
0005590469.tif 000009
【図９】
0005590469.tif 000010